(57)【要約】【課題】画像ファイルを旅行中のイベント毎に分類整理することができるフォルダを作成できるナビゲーションシステムが求められる。【解決手段】旅行判定部により判定された旅行に対応する旅行フォルダを記憶装置内に作成すると共に、旅行フォルダに関連付けて、記憶装置内に、滞在地点判定部により判定された滞在地点毎に滞在地点フォルダを作成するフォルダ作成部と、滞在地点それぞれの滞在中時刻の情報及び滞在位置の情報を含む滞在地点情報ファイルを生成して、記憶装置内に格納する滞在地点情報ファイル生成部と、を備えたナビゲーションシステム。【選択図】図２
2014089604.tif 000002
【特許請求の範囲】
【請求項１】
移動体の現在位置に関する情報を案内するナビゲーションシステムであって、
前記移動体の旅行の開始及び終了を判定する旅行判定部と、
前記旅行判定部により判定された前記旅行中に、前記移動体が滞在した地点である滞在地点を判定する滞在地点判定部と、
前記旅行判定部により判定された前記旅行に対応する旅行フォルダを記憶装置内に作成すると共に、前記旅行フォルダに関連付けて、前記記憶装置内に、前記滞在地点判定部により判定された前記滞在地点毎に滞在地点フォルダを作成するフォルダ作成部と、
前記滞在地点それぞれの滞在中時刻の情報及び滞在位置の情報を含む滞在地点情報ファイルを生成して、前記滞在地点フォルダに関連付けて前記記憶装置内に格納する滞在地点情報ファイル生成部と、
を備えたナビゲーションシステム。
【請求項２】
前記旅行についての旅行中時刻の情報、及び前記旅行中の前記移動体の位置履歴の情報を含む旅行情報ファイルを生成して、前記旅行フォルダに関連付けて前記記憶装置内に格納する旅行情報ファイル生成部を、更に備えた請求項１に記載のナビゲーションシステム。
【請求項３】
前記旅行判定部は、予め設定された基準地点と前記移動体の位置との距離が、予め設定された旅行判定値以上になった場合に、旅行が開始したと判定し、前記旅行判定値以下になった場合に、旅行が終了したと判定する請求項１又は２に記載のナビゲーションシステム。
【請求項４】
前記滞在地点判定部は、前記滞在位置の情報に基づいて、前記滞在地点を表す滞在地点名称を地図データから取得し、
前記フォルダ作成部は、前記滞在地点名称を前記滞在地点フォルダの名称に含ませる、又は、前記滞在地点情報ファイル生成部は、前記滞在地点名称の情報を前記滞在地点情報ファイルに含ませる請求項１から３のいずれか一項に記載のナビゲーションシステム。
【請求項５】
前記滞在地点判定部は、前記移動体が一つの地点に滞在した時間である滞在時間が予め設定された滞在判定値以上である場合に、前記滞在地点に滞在したと判定する請求項１から４のいずれか一項に記載のナビゲーションシステム。
【請求項６】
前記フォルダ作成部は、前記旅行判定部により旅行を開始したと判定された場合に前記旅行フォルダを作成し、前記旅行判定部により旅行を終了したと判定されるまでの間に作成した前記滞在地点フォルダを、当該旅行フォルダ内に格納する請求項１から５のいずれか一項に記載のナビゲーションシステム。
【請求項７】
前記移動体は車両であり、
前記滞在地点判定部は、前記車両が駐車したと判定した場合に、当該駐車地点を基準として前記滞在地点を判定する請求項１から６のいずれか一項に記載のナビゲーションシステム。
【請求項８】
前記移動体はユーザであり、
前記滞在地点判定部は、前記ユーザの移動範囲が予め定めた特定範囲内である場合に、当該移動範囲に対応する地点を前記滞在地点と判定する請求項１から７のいずれか一項に記載のナビゲーションシステム。
【請求項９】
撮影された画像のファイルである画像ファイルの情報を取得する画像ファイル取得部と、
前記画像ファイルに含まれる撮影時刻の情報、及び前記滞在地点情報ファイルに含まれる前記滞在地点それぞれの前記滞在中時刻の情報に基づいて、前記画像ファイルがいずれの前記滞在地点に対応するか判定し、対応する前記滞在地点があると判定した場合は、当該画像ファイルを対応する前記滞在地点フォルダに格納し、対応する前記滞在地点がないと判定した場合は、当該画像ファイルを前記旅行フォルダに格納する画像ファイル分類処理を行う画像ファイル分類部と、を更に備えた請求項１から８のいずれか一項に記載のナビゲーションシステム。
【請求項１０】
前記画像ファイル分類部は、前記画像ファイルに撮影位置の情報が含まれる場合は、前記画像ファイルに含まれる前記撮影時刻の情報及び前記撮影位置の情報、並びに前記滞在地点情報ファイルに含まれる前記滞在地点それぞれの前記滞在中時刻の情報及び前記滞在位置の情報に基づいて、前記画像ファイルがいずれの前記滞在地点に対応するか判定する請求項９に記載のナビゲーションシステム。
【請求項１１】
前記旅行についての旅行中時刻の情報を含む旅行情報ファイルを生成して、前記旅行フォルダに格納する旅行情報ファイル生成部を、更に備え、
前記画像ファイル分類部は、前記画像ファイルに含まれる前記撮影時刻の情報、及び前記旅行情報ファイルに含まれる前記旅行中時刻の情報に基づいて、前記画像ファイルが前記旅行に対応するか否か判定し、前記旅行に対応すると判定した場合は、当該画像ファイルに対して前記画像ファイル分類処理を行う請求項９又は１０に記載のナビゲーションシステム。
【請求項１２】
前記旅行情報ファイル生成部が生成する前記旅行情報ファイルには、前記旅行中の前記移動体の位置履歴の情報が更に含まれ、
前記画像ファイル分類部は、前記画像ファイルに撮影位置の情報が含まれる場合は、前記画像ファイルに含まれる前記撮影時刻の情報及び前記撮影位置の情報、並びに前記旅行情報ファイルに含まれる前記旅行中時刻の情報及び前記位置履歴の情報に基づいて、当該画像ファイルが前記旅行に対応するか否か判定する請求項１１に記載のナビゲーションシステム。
【請求項１３】
移動体の現在位置に関する情報を案内する処理をコンピュータに実行させるためのナビゲーションプログラムであって、
前記移動体の旅行の開始及び終了を判定する旅行判定ステップと、
前記旅行判定ステップにより判定された前記旅行中に、前記移動体が滞在した地点である滞在地点を判定する滞在地点判定ステップと、
前記旅行判定ステップにより判定された前記旅行に対応する前記旅行フォルダを記憶装置内に作成すると共に、前記旅行フォルダに関連付けて、前記記憶装置内に、前記滞在地点判定ステップにより判定された前記滞在地点毎に滞在地点フォルダを作成するフォルダ作成ステップと、
前記滞在地点それぞれの滞在中時刻の情報及び滞在位置の情報を含む滞在地点情報ファイルを生成して、前記滞在地点フォルダに関連付けて前記記憶装置内に格納する滞在地点情報ファイル生成ステップと、
をコンピュータに実行させるナビゲーションプログラム。
【請求項１４】
移動体の現在位置に関する情報を案内するナビゲーション方法であって、
演算処理装置が、
前記移動体の旅行の開始及び終了を判定する旅行判定ステップと、
前記旅行判定ステップにより判定された前記旅行中に、前記移動体が滞在した地点である滞在地点を判定する滞在地点判定ステップと、
前記旅行判定ステップにより判定された前記旅行に対応する前記旅行フォルダを記憶装置内に作成すると共に、前記旅行フォルダに関連付けて、前記記憶装置内に、前記滞在地点判定ステップにより判定された前記滞在地点毎に滞在地点フォルダを作成するフォルダ作成ステップと、
前記滞在地点それぞれの滞在中時刻の情報及び滞在位置の情報を含む滞在地点情報ファイルを生成して、前記滞在地点フォルダに関連付けて前記記憶装置内に格納する滞在地点情報ファイル生成ステップと、
を実行するナビゲーション方法。
【発明の詳細な説明】
【技術分野】
【０００１】
本発明は、移動体の現在位置に関する情報を案内するナビゲーションシステムに関する。
【背景技術】
【０００２】
本発明に関連する技術として、例えば下記の特許文献１に記載された技術が既に知られている。特許文献１の技術では、デジタルカメラなどで撮影された画像ファイルに、ＧＰＳ（Global Positioning System）受信機などによる撮影位置の情報が含まれる場合に、撮影位置の情報と地図データとを関連付けたアルバムデータを作成するように構成されている。
【先行技術文献】
【特許文献】
【０００３】
【特許文献１】特開２００４−１２０４８６号公報
【発明の概要】
【発明が解決しようとする課題】
【０００４】
記憶装置内において画像ファイルが増加してくると、画像ファイルを記憶装置内で複数のフォルダなどに分類整理したいというユーザの要求がある。
また、画像ファイルを記憶装置内で複数のフォルダなどに分類整理する際に、旅行中の訪問地点毎に画像ファイルを整理したいというユーザの要求がある。
【０００５】
しかしながら、特許文献１では、画像ファイルは、地図データと関連付けて整理されるものの、記憶装置内において、旅行中の各訪問地点に対応するような複数のフォルダなどに分類整理されない。
【０００６】
また、特許文献１の技術では、デジタルカメラにＧＰＳ受信機が備えられていない場合など、画像ファイルに撮影位置の情報が含まれない場合には、そもそもユーザの移動経路を判定することができず、画像ファイルを旅行中の各訪問地点に対応するような複数のフォルダに分類整理できない。
【０００７】
また、特許文献１の技術では、画像ファイルに撮影位置の情報が含まれる場合でも、撮影位置の情報だけでユーザの移動経路を判定するため、画像ファイルの数が少ない場合や、画像ファイルが生成されていない移動区間が存在する場合などでは、移動経路を精度良く判定できない恐れがある。このため、特許文献１の技術では、画像ファイルが、目的地までの単なる移動中に撮影されたものか、観光スポットにおける滞在中に撮影されたものか判定できないなど、旅行中の訪問地点を精度よく判定できない恐れがある。
【０００８】
そこで、画像ファイルを旅行中の訪問地点毎に分類整理することができるフォルダを作成できるナビゲーションシステムが求められる。
【課題を解決するための手段】
【０００９】
本発明に係る、移動体の現在位置に関する情報を案内するナビゲーションシステムの特徴構成は、前記移動体の旅行の開始及び終了を判定する旅行判定部と、前記旅行判定部により判定された前記旅行中に、前記移動体が滞在した地点である滞在地点を判定する滞在地点判定部と、前記旅行判定部により判定された前記旅行に対応する旅行フォルダを記憶装置内に作成すると共に、前記旅行フォルダに関連付けて、前記記憶装置内に、前記滞在地点判定部により判定された前記滞在地点毎に滞在地点フォルダを作成するフォルダ作成部と、前記滞在地点それぞれの滞在中時刻の情報及び滞在位置の情報を含む滞在地点情報ファイルを生成して、前記滞在地点フォルダに関連付けて前記記憶装置内に格納する滞在地点情報ファイル生成部と、を備えた点にある。
【００１０】
１つの旅行中において生成された画像ファイルなどのデータを分類整理する際に、その旅行に対応したフォルダが用意されることが望ましい。また、ユーザは、通常、旅行中の各滞在地点において、滞在地点間の移動中よりも多くの画像ファイルなどのデータを生成するため、データを分類整理する際に、各滞在地点に対応したフォルダが用意されることが望ましい。
上記の特徴構成によれば、旅行に対応した旅行フォルダと、旅行中の各滞在地点の滞在地点フォルダと、が作成されるので、旅行中に生成された画像ファイルなどのデータを訪問地点毎に分類して格納することができるフォルダを用意できる。この際、ナビゲーションシステムが取得した旅行開始から終了までの連続的な移動体の現在位置の情報に基づいて、旅行の開始及び終了、並びに旅行中の滞在地点が判定されるので、これらの判定を精度よく行うことができ、各フォルダを適切に作成することができる。
【００１１】
また、上記の特徴構成によれば、各滞在地点フォルダは、旅行フォルダと関連付けられて記憶装置内に作成されるので、データが各フォルダに分類整理された後も、旅行フォルダにより各滞在地点フォルダ及びデータを関連付けて管理することができる。
また、上記の特徴構成によれば、滞在地点情報ファイルが滞在地点フォルダに関連付けて記憶装置内に格納されるので、滞在地点情報ファイルから各滞在地点フォルダに対応する滞在中時刻の情報及び滞在位置の情報を取得することが可能になる。よって、各滞在地点フォルダにデータを分類整理する際などにおいて、各滞在地点フォルダの滞在中時刻の情報及び滞在位置の情報に基づいて、各データがいずれの滞在地点フォルダに対応するか判定することができる。
【００１２】
ここで、前記旅行についての旅行中時刻の情報、及び前記旅行中の前記移動体の位置履歴の情報を含む旅行情報ファイルを生成して、前記旅行フォルダに関連付けて前記記憶装置内に格納する旅行情報ファイル生成部を、更に備えると好適である。
【００１３】
この構成によれば、旅行情報ファイルが旅行フォルダに関連付けられて記憶装置内に格納されるので、旅行情報ファイルから旅行フォルダに対応する旅行中時刻の情報及び旅行中の位置履歴の情報を取得することが可能になる。よって、旅行フォルダ及び各滞在地点フォルダにデータを分類整理する際などにおいて、旅行フォルダの旅行中時刻の情報及び旅行中の位置履歴の情報に基づいて、各データが旅行フォルダに対応するか判定することができる。
【００１４】
ここで、前記旅行判定部は、予め設定された基準地点と前記移動体の位置との距離が、予め設定された旅行判定値以上になった場合に、旅行が開始したと判定し、前記旅行判定値以下になった場合に、旅行が終了したと判定すると好適である。
【００１５】
この構成によれば、基準地点と移動体の位置との距離と、旅行判定値との比較により、旅行の開始及び終了を自動的に判定することができる。この際、ナビゲーションシステムが取得した連続的な移動体の現在位置の情報に基づいて判定されるので、判定タイミングに遅れが生じないようにすることができると共に、判定精度を向上させることができる。
特に、旅行終了の判定においては、旅行終了後には旅行中の画像ファイルなどのデータが生成されないため、これらのデータに基づく旅行終了の判定は困難である。しかし、上記の構成によれば、画像ファイルなどのデータに依存せずに、ナビゲーションシステムが取得した移動体の位置の情報に基づいて、旅行終了を適切に判定することができる。
【００１６】
ここで、前記滞在地点判定部は、前記滞在位置の情報に基づいて、前記滞在地点を表す滞在地点名称を地図データから取得し、前記フォルダ作成部は、前記滞在地点名称を前記滞在地点フォルダの名称に含ませる、又は、前記滞在地点情報ファイル生成部は、前記滞在地点名称の情報を前記滞在地点情報ファイルに含ませると好適である。
【００１７】
この構成によれば、滞在地点フォルダの名称に含まれる滞在地点名称により、ユーザに、各滞在地点フォルダが、いずれの滞在地点に対応するか認識させやすくなり、分類整理機能を向上させることができる。また、この際、ナビゲーションシステムが利用可能な地図データなどを用いて、滞在地点名称を適切に判定することができる。
【００１８】
ここで、前記滞在地点判定部は、前記移動体が一つの地点に滞在した時間である滞在時間が予め設定された滞在判定値以上である場合に、前記滞在地点に滞在したと判定すると好適である。
【００１９】
この構成によれば、短時間しか滞在していない地点を、滞在地点から除外することができ、不必要に多くの滞在地点が判定されて、不必要な滞在地点フォルダが作成されることを抑制できる。
【００２０】
ここで、前記フォルダ作成部は、前記旅行判定部により旅行を開始したと判定された場合に前記旅行フォルダを作成し、前記旅行判定部により旅行を終了したと判定されるまでの間に作成した前記滞在地点フォルダを、当該旅行フォルダ内に格納すると好適である。
【００２１】
この構成によれば、旅行を開始したと判定された場合に旅行フォルダが作成されるので、旅行開始判定後、滞在地点が判定される毎に、滞在地点フォルダを旅行フォルダ内に作成することができる。
また、旅行フォルダ内に滞在地点フォルダが格納されるので、旅行フォルダと各滞在地点フォルダとの関連付けを容易に行うことができる。
【００２２】
ここで、前記移動体は車両であり、前記滞在地点判定部は、前記車両が駐車したと判定した場合に、当該駐車地点を基準として前記滞在地点を判定すると好適である。
【００２３】
この構成によれば、移動体が車両である場合は、車両の駐車により、滞在地点を適切に判定することができる。
【００２４】
ここで、前記移動体はユーザであり、前記滞在地点判定部は、前記ユーザの移動範囲が予め定めた特定範囲内である場合に、当該移動範囲に対応する地点を前記滞在地点と判定すると好適である。
【００２５】
この構成によれば、移動体がユーザである場合は、ユーザの移動範囲により、滞在地点を適切に判定することができる。
【００２６】
ここで、撮影された画像のファイルである画像ファイルの情報を取得する画像ファイル取得部と、前記画像ファイルに含まれる撮影時刻の情報、及び前記滞在地点情報ファイルに含まれる前記滞在地点それぞれの前記滞在中時刻の情報に基づいて、前記画像ファイルがいずれの前記滞在地点に対応するか判定し、対応する前記滞在地点があると判定した場合は、当該画像ファイルを対応する前記滞在地点フォルダに格納し、対応する前記滞在地点がないと判定した場合は、当該画像ファイルを前記旅行フォルダに格納する画像ファイル分類処理を行う画像ファイル分類部と、を更に備えると好適である。
【００２７】
この構成によれば、画像ファイルに撮影時刻の情報が含まれる場合は、撮影時刻の情報に基づいて、画像ファイルがいずれの滞在地点フォルダに対応するか判定し、画像ファイルを対応する滞在地点フォルダに分類整理することができる。
よって、画像ファイルに撮影位置の情報が含まれない場合でも、画像ファイルを対応する滞在地点フォルダに分類整理することができる。
また、対応する滞在地点がないと判定された画像ファイルは、旅行フォルダに格納されるため、滞在地点への移動中などに撮影された画像ファイルも、旅行フォルダ内に分類整理することができる。
【００２８】
ここで、前記画像ファイル分類部は、前記画像ファイルに撮影位置の情報が含まれる場合は、前記画像ファイルに含まれる前記撮影時刻の情報及び前記撮影位置の情報、並びに前記滞在地点情報ファイルに含まれる前記滞在地点それぞれの前記滞在中時刻の情報及び前記滞在位置の情報に基づいて、前記画像ファイルがいずれの前記滞在地点に対応するか判定すると好適である。
【００２９】
この構成によれば、画像ファイルに撮影位置の情報も含まれる場合は、撮影時刻の情報に加えて撮影位置の情報にも基づいて、画像ファイルがいずれの滞在地点フォルダに対応するか判定するので、滞在地点の判定精度を向上させることができる。
【００３０】
ここで、前記旅行についての旅行中時刻の情報を含む旅行情報ファイルを生成して、前記旅行フォルダに格納する旅行情報ファイル生成部を、更に備え、前記画像ファイル分類部は、前記画像ファイルに含まれる前記撮影時刻の情報、及び前記旅行情報ファイルに含まれる前記旅行中時刻の情報に基づいて、前記画像ファイルが前記旅行に対応するか否か判定し、前記旅行に対応すると判定した場合は、当該画像ファイルに対して前記画像ファイル分類処理を行うと好適である。
【００３１】
この構成によれば、画像ファイルに撮影時刻の情報が含まれる場合は、撮影時刻の情報に基づいて、画像ファイルが旅行に対応するか判定し、旅行に対応していると判定された画像ファイルに対してのみ、画像ファイル分類処理を行って、画像ファイルを旅行フォルダ又は滞在地点フォルダに分類整理することができる。よって、旅行に対応していない画像ファイルを、旅行フォルダ又は滞在地点フォルダに格納しないようにすることができる。
【００３２】
ここで、前記旅行情報ファイル生成部が生成する前記旅行情報ファイルには、前記旅行中の前記移動体の位置履歴の情報が更に含まれ、前記画像ファイル分類部は、前記画像ファイルに撮影位置の情報が含まれる場合は、前記画像ファイルに含まれる前記撮影時刻の情報及び前記撮影位置の情報、並びに前記旅行情報ファイルに含まれる前記旅行中時刻の情報及び前記位置履歴の情報に基づいて、当該画像ファイルが前記旅行に対応するか否か判定すると好適である。
【００３３】
この構成によれば、画像ファイルに撮影位置の情報も含まれる場合は、撮影時刻の情報に加えて撮影位置の情報にも基づいて、画像ファイルが旅行に対応するか判定するので、判定精度を向上させることができる。例えば、旅行に参加していないユーザなどにより、旅行外で撮影された画像ファイルの撮影時刻が、旅行に対応している場合でも、撮影位置が対応していない場合は、旅行に対応していないと判定することができる。
【００３４】
以上の各構成を備えた本発明に係るナビゲーションシステムの技術的特徴は、ナビゲーションプログラムやナビゲーション方法にも適用可能であり、そのため、本発明は、そのようなプログラムや方法も権利の対象とすることができる。
【００３５】
その場合における、移動体の現在位置に関する情報を案内する処理をコンピュータに実行させるためのナビゲーションプログラムの特徴構成は、前記移動体の旅行の開始及び終了を判定する旅行判定ステップと、前記旅行判定ステップにより判定された前記旅行中に、前記移動体が滞在した地点である滞在地点を判定する滞在地点判定ステップと、前記旅行判定ステップにより判定された前記旅行に対応する前記旅行フォルダを記憶装置内に作成すると共に、前記旅行フォルダに関連付けて、前記記憶装置内に、前記滞在地点判定ステップにより判定された前記滞在地点毎に滞在地点フォルダを作成するフォルダ作成ステップと、前記滞在地点それぞれの滞在中時刻の情報及び滞在位置の情報を含む滞在地点情報ファイルを生成して、前記滞在地点フォルダに関連付けて前記記憶装置内に格納する滞在地点情報ファイル生成ステップと、をコンピュータに実行させる点にある。
【００３６】
また、移動体の現在位置に関する情報を案内するナビゲーション方法の特徴構成は、演算処理装置が、前記移動体の旅行の開始及び終了を判定する旅行判定ステップと、前記旅行判定ステップにより判定された前記旅行中に、前記移動体が滞在した地点である滞在地点を判定する滞在地点判定ステップと、前記旅行判定ステップにより判定された前記旅行に対応する前記旅行フォルダを記憶装置内に作成すると共に、前記旅行フォルダに関連付けて、前記記憶装置内に、前記滞在地点判定ステップにより判定された前記滞在地点毎に滞在地点フォルダを作成するフォルダ作成ステップと、前記滞在地点それぞれの滞在中時刻の情報及び滞在位置の情報を含む滞在地点情報ファイルを生成して、前記滞在地点フォルダに関連付けて前記記憶装置内に格納する滞在地点情報ファイル生成ステップと、を実行する点にある。
【００３７】
当然ながら、これらのナビゲーションプログラムやナビゲーション方法も上述したナビゲーションシステムに係る作用効果を得ることができ、更に、その好適な構成の例として挙げたいくつかの付加的技術を組み込むことが可能である。
【図面の簡単な説明】
【００３８】
【図１】本発明の実施形態に係るナビゲーションシステムの概略的な構成を示すブロック図である。
【図２】本発明の実施形態に係るフォルダ作成部により作成された旅行フォルダ及び滞在地点フォルダなどを説明するための図である。
【図３】本発明の実施形態に係るフォルダ作成部などの処理を説明するためのフローチャートである。
【図４】本発明の実施形態に係る画像ファイル分類格納部などの処理を説明するためのフローチャートである。
【図５】本発明の実施形態に係るフォルダ作成部及び画像ファイル分類格納部などの実施例を説明するための図である。
【図６】本発明の実施形態に係るフォルダ作成部及び画像ファイル分類格納部などの実施例を説明するための図である。
【発明を実施するための形態】
【００３９】
本発明に係るナビゲーションシステム１の実施形態について説明する。
ナビゲーションシステム１は、移動体の現在位置に関する情報を案内する位置案内システムである。ナビゲーションシステム１は、図１に示すように、旅行判定部４１、滞在地点判定部４２、フォルダ作成部４３、及び滞在地点情報ファイル生成部４４などの機能部を備えている。
【００４０】
旅行判定部４１は、移動体の旅行の開始及び終了を判定する。
滞在地点判定部４２は、旅行判定部４１により判定された旅行中に、移動体が滞在した地点である滞在地点を判定する。
フォルダ作成部４３は、図２に示すように、旅行判定部４１により判定された旅行に対応する旅行フォルダを記憶装置７内に作成すると共に、旅行フォルダに関連付けて、記憶装置７内に、滞在地点判定部４２により判定された滞在地点毎に滞在地点フォルダを作成する。
滞在地点情報ファイル生成部４４は、滞在地点それぞれの滞在中時刻の情報及び滞在位置の情報を含む滞在地点情報ファイルを生成して、滞在地点フォルダに関連付けて記憶装置７内に格納する。
以下、本実施形態に係るナビゲーションシステム１について詳細に説明する。
【００４１】
１．ナビゲーションシステム１
ナビゲーションシステム１は、移動体の現在位置に関する情報を案内する位置案内システムである。
ナビゲーションシステム１は、単数又は複数のＣＰＵ等の演算処理装置を中核部材として備えるとともに、当該演算処理装置からデータを読み出し及び書き込みが可能に構成されたＲＡＭ（ランダム・アクセス・メモリ）や、演算処理装置からデータを読み出し可能に構成されたＲＯＭ（リード・オンリ・メモリ）や、大容量のデータを記憶及び読み出し可能に構成されたフラッシュメモリやハードディスク等の記憶装置等を有して構成されている。そして、ナビゲーションシステム１のＲＯＭ等に記憶されたソフトウェア（プログラム）又は別途設けられた演算回路等のハードウェア、或いはそれらの両方により、ナビゲーションシステム１の各機能部３０、４０、５０、６、７、８などが構成されている。各機能部３０、４０、５０、６、７、８などの機能を演算処理装置に実現させるためのナビゲーションプログラムは、演算処理装置が参照可能なＲＡＭやＲＯＭなどの記憶装置に記憶される。
【００４２】
本実施形態に係わるナビゲーションシステム１は、図１に示すように、大きく分類して、位置案内部３０、旅行滞在地点フォルダ作成部４０、及び画像ファイル分類部５０などの機能部を備えている。以下、各機能部について詳細に説明する。
【００４３】
２．位置案内部３０
位置案内部３０は、移動体の現在位置に関する情報を案内する位置案内処理を行う機能部である。本実施形態では、位置案内部３０は、位置情報取得部３１、位置案内実行部３２、及び移動履歴情報生成部３３などの機能部を備えている。本実施形態では、位置案内部３０の機能は、情報端末装置２に備えられている。
【００４４】
２−１．位置情報取得部３１
位置情報取得部３１は、移動体の現在位置の情報を取得する位置情報取得処理を行う機能部である。
本実施形態では、位置案内部３０の機能が備えられた情報端末装置には、ＧＰＳ（Global Positioning System）受信機や、加速度センサや、方位センサなどの位置情報検出装置が備えられており、移動体の位置に関する情報を取得する。
位置情報取得部３１は、位置情報検出装置から取得した移動体の位置関連情報に基づいて、移動体の現在位置を判定する。この位置判定の際、地図データが用いられてもよい。例えば、位置情報取得部３１は、地図データに含まれる道路ネットワークと、位置情報検出装置から得られた位置情報の履歴が示す経路と、のパターンマッチングにより、移動体の現在位置を判定するように構成されることができる。これにより、現在位置の判定精度を向上させることができる。地図データは、予め情報端末装置に記憶されていたり、無線通信又は有線通信などのデータ通信を介して外部の情報端末装置から逐次取得されたりする。
【００４５】
＜移動体＞
移動体は、位置案内部３０の機能を備えた情報端末装置２を保持して、当該情報端末装置と共に移動する物体である。
例えば、情報端末装置２が車両に搭載されており、車両の現在位置に関する情報を案内する場合は、移動体は車両となる。この場合は、情報端末装置２は、車両に搭載されたカーナビゲーション装置であったり、位置案内部３０の機能を有し、ユーザが持ち運び可能な携帯型情報端末装置や多機能型携帯電話などであったりする。
或いは、ユーザ（人間）が情報端末装置２を保持しており、徒歩や公共交通機関などにより移動しているユーザの現在位置に関する情報を案内する場合は、移動体はユーザとなる。この場合は、情報端末装置２は、位置案内部３０の機能を有し、ユーザが持ち運び可能な携帯型情報端末装置や多機能型携帯電話などであったりする。
【００４６】
２−２．位置案内実行部３２
位置案内実行部３２は、位置情報取得部３１が取得した移動体の位置に関する情報を、表示画面やスピーカなどを用いて、画面表示や音声などによりユーザに案内する機能部である。この際、位置案内実行部３２は、移動体の位置に関する情報を地図データなどと関連付けて案内してもよい。
【００４７】
位置案内実行部３２は、経路案内機能を有しており、目的地が設定された場合は、現在位置から目的地までの誘導経路を案内するように構成されている。位置案内実行部３２は、移動体が車両である場合は、車両用道路などを車両により移動する誘導経路を案内し、移動体が人間である場合は、徒歩や公共交通機関などにより移動する誘導経路を案内する。位置案内実行部３２は、情報端末装置が携帯型情報端末装置や多機能型携帯電話である場合は、ユーザ設定などにより、移動体を車両又は人間で切替可能に構成されてもよい。
なお、位置案内実行部３２は、目的地が設定されていない場合も、移動体の位置に関する情報をユーザに案内するように構成されている。
【００４８】
２−３．移動履歴情報生成部３３
移動履歴情報生成部３３は、移動体の位置と時刻が関連付けられた移動履歴情報を生成する移動履歴情報生成処理を行う機能部である。
本実施形態では、移動履歴情報生成部３３は、位置情報取得部３１が取得した移動体の現在位置の情報を、取得時刻の情報と関連付けて、蓄積的に記憶装置６に記憶するように構成されている。移動履歴情報生成部３３は、少なくとも位置情報取得部３１が動作しており、移動体の現在位置の情報が得られる場合は、移動履歴情報を生成するように構成されている。
【００４９】
移動履歴情報には、位置案内部３０の機能を有する情報端末装置の電源のオンオフ時刻の情報、又は位置案内部３０の機能のオンオフ時刻の情報が含まれるように構成されている。例えば、情報端末装置２が車両に搭載されたカーナビゲーション装置であり、情報端末装置の電源が、車両の電源スイッチのオンオフと連動して、オンオフされるように構成されている場合がある。ここで、オンオフ時刻には、オン時刻と、オフ時刻とが含まれる。
また、移動履歴情報には、目的地への経路案内が行われた場合は、目的地の情報や、目的地への到着時刻の情報や、経路案内の開始時刻の情報や、誘導経路などの情報も含まれる。
【００５０】
３．旅行滞在地点フォルダ作成部４０
旅行滞在地点フォルダ作成部４０は、旅行判定処理及び滞在地点判定処理の結果に基づいて、旅行フォルダ、滞在地点フォルダ、及び滞在地点情報ファイルなどを作成し、記憶装置７内に格納する旅行滞在地点フォルダ作成処理を実行する機能部である。
本実施形態では、旅行滞在地点フォルダ作成部４０は、旅行判定部４１、滞在地点判定部４２、フォルダ作成部４３、滞在地点情報ファイル生成部４４、旅行情報ファイル生成部４５、及び移動履歴情報取得部４６などの機能部を備えている。
【００５１】
本実施形態では、旅行滞在地点フォルダ作成部４０は、位置案内部３０の機能が備えられた情報端末装置２に備えられており、記憶装置６と記憶装置７とは同じ記憶装置とされている。そして、旅行滞在地点フォルダ作成部４０は、情報端末装置２の記憶装置７内に、作成した旅行フォルダ、滞在地点フォルダ、旅行情報ファイル、及び滞在地点情報ファイルを格納するように構成されている。
【００５２】
旅行滞在地点フォルダ作成部４０は、後述するように外部の記憶装置内において画像ファイル分類処理が行われる場合は、無線通信又は有線通信などのデータ通信を介して、外部の記憶装置内に、旅行フォルダ、滞在地点フォルダ、旅行情報ファイル、及び滞在地点情報ファイルを格納するように構成される。なお、情報端末装置２には、無線通信又は有線通信を行うためのデータ通信装置が備えられている。
【００５３】
ここで、外部の記憶装置には、インターネットに接続された外部の情報端末装置の記憶装置（例えば、ネットワークサーバ）や、無線通信や有線通信により接続可能な外部の情報端末装置の記憶装置（例えば、多機能型携帯電話、携帯型情報端末装置、撮影装置）や、取り外し可能な記録装置（例えば、フラッシュメモリカード）などがある。
また、無線通信には、携帯電話回線、無線ＬＡＮ、ブルートゥース（Ｂｌｕｅｔｏｏｔｈ、登録商標）などがある。有線通信には、有線ＬＡＮ、ユニバーサル・シリアル・バス（ＵＳＢ）、取り外し可能な記憶装置の読み出し書き込み装置による通信などがある。
【００５４】
３−１．移動履歴情報取得部４６
移動履歴情報取得部４６は、位置案内部３０が生成した移動履歴情報を取得する移動履歴情報取得処理を行う機能部である。
本実施形態では、移動履歴情報取得部４６は、移動履歴情報生成部３３が移動体の現在位置の情報などを移動履歴情報として、時間の経過に従って逐次的に記憶装置６に記憶するのに合わせて、記憶装置６に記憶された移動履歴情報から、移動体の現在位置の情報などを、時間の経過に従って逐次的に取得するように構成されている。
【００５５】
３−２．旅行判定部４１
旅行判定部４１は、移動体の旅行の開始及び終了を判定する旅行判定処理を行う機能部である。
【００５６】
本実施形態では、旅行判定部４１は、移動履歴情報取得部４６が取得した移動履歴情報に基づいて、時間の経過に従って逐次的に、移動体の旅行の開始及び終了を判定するように構成されている。
本実施形態では、旅行判定部４１は、移動体の現在位置の情報を取得する毎に、逐次的に、現在位置の情報を含む移動履歴情報に基づいて、移動体の旅行の開始及び終了を判定するように構成されている。
【００５７】
本実施形態では、旅行判定部４１は、予め設定された基準地点と移動体の位置との距離が、予め設定された旅行判定値（例えば、１Ｋｍ）以上になった場合に、旅行が開始したと判定し、旅行が開始したと判定された後、旅行判定値（例えば、１Ｋｍ）以下になった場合に、旅行が終了したと判定するように構成されている。
基準地点は、ユーザによって設定された地点とすることができる。このような基準地点として、例えば、自宅の位置や、勤務している会社の位置などが設定される。
【００５８】
通勤や買い物などの日常の移動で、旅行の開始が判定されないように、基準地点との距離による開始判定条件に加えて他の追加的な開始判定条件が設定されてもよい。例えば、基準地点との距離による開始判定後、ユーザに旅行開始と判定してよいか否か選択させ、旅行開始と判定してよいと選択された場合に、最終的に旅行開始と判定するように構成されてもよい。或いは、平日の通勤時間帯（例えば、７：００から８：００）外で、基準地点との距離による開始判定がされた場合に、最終的に旅行開始と判定し、平日の通勤時間帯内で、基準地点との距離による開始判定がされた場合には、旅行開始と判定しないように構成されてもよい。
【００５９】
或いは、位置案内部３０において経路案内の目的地点が設定され、目的地点が、観光スポットや娯楽スポットなどの近く（例えば、半径所定距離（５００ｍなど）以内）であり、基準地点との距離による開始判定がされた場合に、最終的に旅行開始と判定するように構成されてもよい。
【００６０】
＜旅行名称の決定＞
旅行判定部４１は、旅行が終了したと判定した場合に、後述する滞在地点判定部４２により取得された滞在地点名称に基づいて、旅行名称を決定するように構成されている。具体的には、旅行判定部４１は、滞在時間が長い順に、単数又は複数の滞在地点名称を、旅行名称に含ませるように構成されている。旅行名称に、旅行の日付を含ませてもよい。旅行名称は、例えば、「２０１２年１０月３日  金閣寺、清水寺方面の旅行」とされる。
【００６１】
３−３．滞在地点判定部４２
滞在地点判定部４２は、旅行判定部４１により判定された旅行中に、移動体が滞在した地点である滞在地点を判定する滞在地点判定処理を行う機能部である。
本実施形態では、滞在地点判定部４２は、移動履歴情報取得部４６が取得した移動履歴情報に基づいて、時間の経過に従って逐次的に、滞在地点を判定するように構成されている。
本実施形態では、滞在地点判定部４２は、移動体の現在位置の情報を取得する毎に、逐次的に、現在位置の情報を含む移動履歴情報に基づいて、滞在地点を判定するように構成されている。
【００６２】
＜駐車による滞在地点判定＞
例えば、移動体が車両である場合は、滞在地点判定部４２は、車両が駐車したと判定した場合に、当該駐車地点を基準として滞在地点を判定するように構成される。例えば、情報端末装置がカーナビゲーション装置であり、移動履歴情報にカーナビゲーション装置の電源のオンオフ時刻の情報が含まれる場合は、滞在地点判定部４２は、電源がオフにされてからオンにされるまで期間、車両が駐車したと判定するように構成されることができる。そして、滞在地点判定部４２は、駐車地点を滞在地点に設定する。滞在地点判定部４２は、電源のオフ時刻からオン時刻までの時刻を、滞在中時刻と設定する。なお、滞在地点判定部４２は、駐車地点の近く（例えば、半径所定距離（５００ｍなど）以内）にある主な観光スポットや娯楽スポットなどを、地図データなどから判定して、滞在地点に設定するように構成されてもよい。
【００６３】
＜移動範囲による滞在地点判定＞
或いは、移動体が人間である場合は、滞在地点判定部４２は、予め定めた滞在判定期間内における移動体の移動範囲が、予め定めた特定範囲内である場合に、移動範囲に対応する地点を滞在地点と判定するように構成される。ここで、特定範囲内は、例えば、半径所定距離（２００ｍなど）以内や、金閣寺などの観光スポットの敷地内などに設定される。滞在地点判定部４２は、移動履歴情報に基づいて、現在の時刻から予め定めた所定期間（例えば、１５分）だけ過去の時刻までの滞在判定期間内における、移動体の移動範囲（経路）を判定する。そして、滞在地点判定部４２は、移動範囲が特定範囲内に収まっていると判定した場合は、当該移動範囲が滞在地点を構成すると判定し、滞在判定期間の開始時刻から終了時刻までの時刻範囲が滞在中時刻を構成する判定する。
【００６４】
滞在地点判定部４２は、移動範囲が特定範囲内に収まり、滞在地点であると判定された時刻が時間的に連続する場合は、滞在地点を構成すると判定された移動範囲の全てを重ね合わせた移動範囲が、滞在地点に対応する移動範囲であると判定し、滞在中時刻を構成すると判定された時刻範囲の全てをつないだ時刻範囲が、滞在中時刻の範囲であると判定する。そして、滞在地点判定部４２は、滞在地点に対応すると判定した移動範囲の代表地点（例えば、中心位置（座標））を滞在地点に設定する。
なお、滞在地点判定部４２は、滞在地点に対応すると判定した移動範囲と重複している観光スポットや娯楽スポットなどが存在するか否かを地図データに基づいて判定し、存在すると判定した場合は、当該移動範囲を滞在地点に設定し、存在しないと判定した場合は、当該移動範囲を滞在地点に設定しないように構成されてもよい。
【００６５】
＜滞在時間判定＞
本実施形態では、滞在地点判定部４２は、移動体が一つの地点に滞在した時間である滞在時間が予め設定された滞在判定値以上（例えば、３０分以上）である場合に、滞在地点に滞在したと判定するように構成されている。すなわち、上記のように、駐車又は移動範囲により判定された滞在地点における滞在中時刻が表す滞在時間が、滞在判定値以上である場合に、当該滞在地点を最終的な滞在地点に設定し、滞在判定値未満である場合に、当該滞在地点を最終的な滞在地点から除外する。
【００６６】
＜滞在地点名称＞
滞在地点判定部４２は、滞在地点の滞在位置の情報に基づいて、滞在地点を表す滞在地点名称を地図データから取得するように構成されている。
本実施形態では、滞在地点判定部４２は、駐車により滞在地点を判定した場合は、滞在地点（駐車地点）の近く（例えば、半径所定距離（５００ｍなど）以内）にある主な観光スポットや娯楽スポットなどを地図データなどから判定し、当該観光スポットや娯楽スポットなどの名称を地図データから取得して滞在地点名称に設定するように構成されている。この構成によれば、駐車場と観光スポットとが離れている場合にも対応できる。
【００６７】
また、滞在地点判定部４２は、移動範囲により滞在地点を判定した場合は、滞在地点と重なっている観光スポットや娯楽スポットなどを地図データなどから判定し、当該観光スポットや娯楽スポットなどの名称を地図データから取得して滞在地点名称に設定するように構成されている。なお、滞在地点判定部４２は、滞在地点と重複している観光スポットなどがない場合は、滞在地点の近く（例えば、半径所定距離（１００ｍなど）以内）にある主な観光スポットや娯楽スポットなどを地図データなどから判定するように構成されてもよい。滞在地点名称は、例えば、「金閣寺」や、「清水寺」などとされる。
【００６８】
３−４．フォルダ作成部４３
フォルダ作成部４３は、旅行判定部４１により判定された旅行に対応する旅行フォルダを記憶装置７内に作成すると共に、旅行フォルダに関連付けて、記憶装置７内に、滞在地点判定部４２により判定された滞在地点毎に滞在地点フォルダを作成するフォルダ作成処理を行う機能部である。
【００６９】
本実施形態では、フォルダ作成部４３は、図２に示す例のように、旅行判定部４１により旅行を開始したと判定された場合に旅行フォルダ１１１を作成し、旅行判定部４１により旅行を終了したと判定されるまでの間に作成した滞在地点フォルダ２１１、２１２、２１３を、当該旅行フォルダ１１１内に格納するように構成されている。
【００７０】
フォルダ作成部４３は、時間の経過に従って判定された旅行判定部４１及び滞在地点判定部４２の判定結果に基づいて、逐次的に、旅行フォルダ及び滞在地点フォルダを作成するように構成されている。すなわち、フォルダ作成部４３は、旅行判定部４１により旅行が開始したと判定された時点で、記憶装置７内に旅行フォルダを作成し、旅行開始判定後、滞在地点判定部４２により滞在地点が判定された時点毎に、旅行フォルダ内に対応する滞在地点フォルダを作成するように構成されている。そして、フォルダ作成部４３は、旅行判定部４１により旅行が終了したと判定された時点で、当該旅行に対応するフォルダ作成処理を終了するように構成されている。
【００７１】
＜滞在地点フォルダ名称＞
フォルダ作成部４３は、滞在地点名称を滞在地点フォルダの名称に含ませるように構成されている。滞在地点フォルダの名称は、例えば、「金閣寺付近」や、「清水寺付近」などとされる。なお、滞在地点フォルダの名称に、滞在中時刻や日付を含ませてもよい。この場合は、例えば、「金閣寺付近  １０月３日１１：００〜１３：００」や、「清水寺付近  １０月３日１４：３０〜１６：００」などとされる。
【００７２】
＜旅行フォルダ名称＞
フォルダ作成部４３は、旅行名称を旅行フォルダの名称に含ませるように構成されている。本実施形態では、フォルダ作成部４３は、旅行判定部４１により旅行開始が判定されて旅行フォルダを作成する時点では、旅行名称が決定されていないため、旅行フォルダの名称を、図２に示すように「新しい旅行フォルダ」などの仮名称に設定して、旅行フォルダ１１１を作成する。そして、フォルダ作成部４３は、旅行判定部４１により旅行終了が判定されて、旅行名称が決定された後、旅行フォルダ１１１の名称を、仮名称から旅行名称を含む名称に変更するように構成されている。変更後の旅行フォルダの名称は、例えば、「２０１２年１０月３日  金閣寺、清水寺方面の旅行フォルダ」とされる。
【００７３】
３−５．滞在地点情報ファイル生成部４４
滞在地点情報ファイル生成部４４は、滞在地点それぞれの滞在中時刻の情報及び滞在位置の情報を含む滞在地点情報ファイルを生成して、滞在地点フォルダに関連付けて記憶装置７内に格納する滞在地点情報ファイル生成処理を行う機能部である。
本実施形態では、滞在地点情報ファイル生成部４４は、滞在地点それぞれの滞在地点名称の情報を滞在地点情報ファイルに含ませるように構成されている。
【００７４】
本実施形態では、滞在地点情報ファイル生成部４４は、滞在地点毎に、各滞在地点の滞在中時刻の情報、滞在位置の情報、及び滞在地点名称の情報を含む滞在地点情報ファイルを生成し、各滞在地点に対応する滞在地点フォルダに格納するように構成されている。すなわち、図２に示す例のように、滞在地点フォルダ２１１、２１２、２１３のそれぞれに、対応する滞在地点の滞在地点情報ファイル２２１、２２２、２２３が格納される。
ここで、滞在位置の情報は、駐車地点の位置（座標）や、滞在地点に対応すると判定された移動範囲（座標範囲）や、当該移動範囲の代表位置（例えば、中心位置（座標））や、滞在地点に対応すると判定された観光スポットなどの位置（座標）などの情報とされる。
また、滞在地点名称の情報は、滞在地点に対応すると判定された観光スポットや娯楽スポットなどの名称の情報とされる。
滞在中時刻の情報は、滞在開始から滞在終了までの時刻を表す情報であり、例えば、滞在開始時刻及び滞在終了時刻の情報や、滞在開始時刻及び滞在時間の情報とされる。
【００７５】
本実施形態では、滞在地点情報ファイル生成部４４は、時間の経過に従って滞在地点判定部４２により滞在地点が判定される毎に、逐次的に当該滞在地点に対応する滞在地点情報ファイルを生成し、当該滞在地点に対応して作成された滞在地点フォルダに格納するように構成されている。
【００７６】
３−６．旅行情報ファイル生成部４５
旅行情報ファイル生成部４５は、旅行についての旅行中時刻の情報を含む旅行情報ファイルを生成して、旅行フォルダに関連付けて記憶装置７内に格納する旅行情報ファイル生成処理を行う機能部である。
本実施形態では、旅行情報ファイルには、旅行中の移動体の位置履歴の情報が更に含まれるように構成されている。
【００７７】
ここで、旅行中時刻の情報は、旅行開始から旅行終了までの時刻を表す情報であり、例えば、旅行開始時刻及び旅行終了時刻の情報や、旅行開始時刻及び旅行時間の情報とされる。位置履歴の情報は、旅行開始から旅行終了までの期間に、位置案内部３０から取得した移動体の現在位置の情報を、時間の経過の順に記録した履歴情報であり、旅行経路を表す。なお、位置履歴の情報に、各位置の情報を取得した取得時刻の情報が含まれるように構成されてもよい。
【００７８】
本実施形態では、旅行情報ファイル生成部４５は、旅行開始が判定された後、旅行中時刻の情報として旅行開始時刻の情報を含む旅行情報ファイルを生成し、旅行フォルダに格納するように構成されている。また、旅行情報ファイル生成部４５は、旅行開始判定後、位置履歴の情報の生成を開始し、時間の経過に従って、移動体の現在位置の情報を取得する毎に逐次的に位置履歴の情報を更新していくように構成されている。そして、旅行情報ファイル生成部４５は、更新した位置履歴の情報で、逐次的に旅行情報ファイルに含まれる位置履歴の情報を更新するように構成されている。そして、旅行情報ファイル生成部４５は、旅行終了が判定された後、旅行中時刻の情報に、旅行終了時刻の情報を追加して、旅行情報ファイルを更新するように構成されている。
或いは、旅行情報ファイル生成部４５は、旅行判定部４１により旅行の終了が判定された後、旅行中時刻の情報及び位置履歴の情報を作成し、旅行情報ファイルを生成して、旅行フォルダに格納するように構成されてもよい。
なお、旅行情報ファイル生成部４５は、旅行名称の情報や滞在地点の情報を旅行情報ファイルに含ませるように構成されてもよい。
【００７９】
３−７．旅行滞在地点フォルダ作成処理のフローチャート
次に、旅行滞在地点フォルダ作成処理の手順（旅行滞在地点フォルダ作成方法及び旅行滞在地点フォルダ作成プログラム）について、図３に示すフローチャートを参照して説明する。
旅行判定部４１は、移動履歴情報に基づいて、移動体の旅行の開始及び終了を判定する旅行判定処理を実行する。
フォルダ作成部４３は、旅行判定部４１により旅行が開始したと判定された場合（ステップ♯０１：Ｙｅｓ）に、旅行フォルダを作成する（ステップ♯０２）。そして、滞在地点判定部４２は、ステップ♯０３で、滞在地点判定処理を実行する。ステップ♯０３の滞在地点判定処理は、ステップ♯０７で旅行判定部４１により旅行が終了したと判定される（ステップ♯０７：Ｙｅｓ）まで繰り返し実行される。
【００８０】
滞在地点判定部４２は、新たな滞在地点を判定した場合（ステップ♯０３：Ｙｅｓ）に、滞在地点名称を決定する（ステップ♯０４）。そして、フォルダ作成部４３は、新たに判定された滞在地点に対応する滞在地点フォルダを作成する（ステップ♯０５）。この際、フォルダ作成部４３は、滞在地点フォルダの名称に滞在地点名称を含ませる。また、滞在地点情報ファイル生成部４４は、新たに判定された滞在地点に対応する滞在地点情報ファイルを生成する滞在地点情報ファイル生成処理を実行する（ステップ♯０６）。
【００８１】
旅行判定部４１は、旅行判定部４１により旅行が終了したと判定した場合（ステップ♯０７：Ｙｅｓ）に、旅行名称を決定する（ステップ♯０８）。フォルダ作成部４３は、旅行フォルダの名称を、旅行名称を含む名称に変更する（ステップ♯０９）。そして、旅行情報ファイル生成部４５は、最終的な旅行情報ファイルを生成する旅行情報ファイル生成処理を実行する（ステップ♯１０）。なお、本実施形態では、旅行情報ファイル生成部４５は、旅行開始判定後、旅行開始時刻を含む旅行情報ファイルを生成し、移動体の現在位置の情報を取得する毎に、旅行情報ファイルを更新するように構成されている。
【００８２】
４．画像ファイル分類部５０
画像ファイル分類部５０は、画像ファイルに含まれる撮影時刻の情報、及び滞在地点情報ファイルに含まれる滞在地点それぞれの滞在中時刻の情報に基づいて、画像ファイルがいずれの滞在地点に対応するか判定し、対応する滞在地点があると判定した場合は、当該画像ファイルを対応する滞在地点フォルダに格納し、対応する滞在地点がないと判定した場合は、当該画像ファイルを旅行フォルダに格納する画像ファイル分類処理を行う機能部である。
【００８３】
本実施形態では、画像ファイル分類部５０は、画像ファイル取得部５１、分類フォルダ取得部５２、画像旅行対応判定部５３、画像地点対応判定部５４、及び画像ファイル分類格納部５５などの機能部を備えている。
本実施形態では、画像ファイル分類部５０は、位置案内部３０及び旅行滞在地点フォルダ作成部４０の機能が備えられた情報端末装置２に備えられている。
【００８４】
４−１．分類フォルダ取得部５２
分類フォルダ取得部５２は、旅行に対応して作成された旅行フォルダと、旅行中に滞在した滞在地点毎に作成され、旅行フォルダに関連付けられた滞在地点フォルダと、旅行についての旅行中時刻の情報を含む旅行情報ファイルと、滞在地点それぞれの滞在中時刻の情報を含む滞在地点情報ファイルと、を取得する分類フォルダ取得処理を行う機能部である。
本実施形態では、分類フォルダ取得部５２は、旅行滞在地点フォルダ作成部４０の機能が備えられた情報端末装置の記憶装置７から、旅行フォルダ、滞在地点フォルダ、旅行情報ファイル、及び滞在地点情報ファイルの情報を取得するように構成されている。
【００８５】
４−２．画像ファイル取得部５１
画像ファイル取得部５１は、撮影された画像のファイルである画像ファイルの情報を取得する画像ファイル取得処理を行う機能部である。
画像には、静止画像及び動画像が含まれる。
複数の画像ファイルが取得された場合は、画像ファイル毎に、画像ファイル分類処理が行われる。
【００８６】
画像ファイル分類部５０の機能を備えた情報端末装置が撮影装置を備えており、当該情報端末装置により画像ファイルが生成される場合は、画像ファイル取得部５１は、当該情報端末装置の記憶装置から画像ファイルの情報を取得するように構成される。このような情報端末装置には、撮影装置を備えた多機能型携帯電話や携帯型情報端末装置などがある。
【００８７】
もしくは、画像ファイル取得部５１は、無線通信又は有線通信などのデータ通信を介して、外部の記憶装置から画像ファイルの情報を取得するように構成される。
ここで、外部の記憶装置、並びに無線通信又は有線通信などのデータ通信は、旅行滞在地点フォルダ作成部４０で説明した内容と同様である。
【００８８】
或いは、後述するように、画像ファイル分類格納部５５が、無線通信又は有線通信などのデータ通信により接続可能な外部の記憶装置内において画像ファイルを移動させて、旅行フォルダ内などに格納するように構成される場合は、画像ファイル取得部５１は、画像ファイルが格納されている外部の記憶装置から、無線通信又は有線通信などのデータ通信を介して、画像ファイルの撮影時刻の情報及び撮影位置の情報を取得するように構成される。なお、この場合は、画像ファイル取得部５１は、画像ファイルの画像情報（画像データ）を取得しないように構成される。
【００８９】
画像ファイル取得部５１は、外部の記憶装置とのデータ通信が可能になり画像ファイルの情報を取得可能な状態になった場合に、自動的に又はユーザによる選択により、画像ファイルの情報を取得するように構成されている。画像ファイル取得部５１は、撮像装置により画像ファイルが生成される毎に、画像ファイルの情報を取得するように構成される。
【００９０】
＜撮影時刻の情報＞
画像ファイルには、一般的に撮影時刻の情報が含まれる。撮影時刻の情報には、撮影日付、撮影時分などの情報が含まれる。
＜撮影位置の情報＞
撮像装置や、撮像装置付きの多機能型携帯電話や携帯型情報端末装置などが、ＧＰＳ受信機などの位置検出装置を備えており、画像ファイルに撮影位置の情報を含ませる機能を有している場合は、画像ファイルに撮影位置の情報が含まれる。
【００９１】
４−３．画像旅行対応判定部５３
画像旅行対応判定部５３は、画像ファイルに含まれる撮影時刻の情報、及び旅行情報ファイルに含まれる旅行中時刻の情報に基づいて、画像ファイルが、旅行に対応するか否か判定する画像旅行対応判定処理を行う機能部である。
【００９２】
本実施形態では、画像旅行対応判定部５３は、画像ファイルに撮影位置の情報が含まれる場合（図４、ステップ♯１１：Ｙｅｓ）は、画像ファイルに含まれる撮影時刻の情報及び撮影位置の情報、並びに旅行情報ファイルに含まれる旅行中時刻の情報及び位置履歴の情報に基づいて、当該画像ファイルが旅行に対応するか否か判定する（ステップ♯１２、♯１３）ように構成されている。
具体的には、画像旅行対応判定部５３は、画像ファイルに撮影位置の情報が含まれる場合（ステップ♯１１：Ｙｅｓ）は、画像ファイルに含まれる撮影時刻の情報、及び旅行情報ファイルに含まれる旅行中時刻の情報に基づいて、当該撮影時刻の情報が旅行中時刻の情報に対応するか判定する旅行時刻対応判定を行う（ステップ♯１２）。そして、画像旅行対応判定部５３は、旅行時刻対応判定により対応すると判定された画像ファイル（ステップ♯１２：Ｙｅｓ）と旅行との関係について、旅行情報ファイルに含まれる位置履歴の情報、及び画像ファイルに含まれる撮影位置の情報に基づいて、当該撮影位置の情報が、対応すると判定された旅行の位置履歴の情報に対応するか判定する旅行位置対応判定を行う（ステップ♯１３）ように構成されている。
【００９３】
画像旅行対応判定部５３は、旅行時刻対応判定では、画像ファイルに含まれる撮影時刻が、旅行情報ファイルに含まれる旅行中時刻（旅行開始時刻から旅行終了時刻まで）の範囲内にあるか判定する。
画像旅行対応判定部５３は、旅行位置対応判定では、画像ファイルに含まれる撮影位置が、旅行情報ファイルに含まれる旅行の位置履歴が示す旅行経路に近いか（例えば、旅行経路の所定判定距離（５Ｋｍなど）範囲内にあるか）判定する。
或いは、旅行の位置履歴の情報に、各位置情報の取得時刻の情報が含まれるように構成されている場合は、画像旅行対応判定部５３は、位置履歴の情報から、画像ファイルの撮影時刻に最も近い取得時刻に対応する位置情報を抽出し、撮影位置が当該位置情報が示す位置に近いか（例えば、半径所定距離（５Ｋｍなど）以内にあるか）判定するように構成されてもよい。
【００９４】
一方、画像旅行対応判定部５３は、画像ファイルに撮影位置の情報が含まれない場合（ステップ♯１１：Ｎｏ）は、上記した旅行時刻対応判定のみを行い（ステップ♯１６）、旅行位置対応判定を行わないように構成されている。
【００９５】
４−４．画像地点対応判定部５４
画像地点対応判定部５４は、画像ファイルに含まれる撮影時刻の情報、及び滞在地点情報ファイルに含まれる滞在地点それぞれの滞在中時刻の情報に基づいて、画像ファイルがいずれの滞在地点に対応するか判定する画像地点対応判定処理を行う機能部である。
【００９６】
本実施形態では、画像地点対応判定部５４は、画像旅行対応判定部５３により画像ファイルが旅行に対応すると判定されたことを条件として、画像ファイルに含まれる撮影時刻の情報、及び滞在地点情報ファイルに含まれる滞在地点それぞれの滞在中時刻の情報に基づいて、画像ファイルがいずれの滞在地点に対応するか判定するように構成されている。
【００９７】
本実施形態では、画像地点対応判定部５４は、画像ファイルに撮影位置の情報が含まれる場合は、画像ファイルに含まれる撮影時刻の情報及び撮影位置の情報、並びに滞在地点情報ファイルに含まれる滞在地点それぞれの滞在中時刻の情報及び滞在位置の情報に基づいて、画像ファイルがいずれの滞在地点に対応するか判定するように構成されている。
具体的には、画像地点対応判定部５４は、画像ファイルに撮影位置の情報が含まれ、画像旅行対応判定部５３により画像ファイルが旅行に対応すると判定された場合（ステップ♯１３：Ｙｅｓ）は、画像ファイルに含まれる撮影時刻の情報、及び滞在地点情報ファイルに含まれる滞在地点それぞれの滞在中時刻の情報に基づいて、当該撮影時刻の情報がいずれの滞在地点の滞在中時刻の情報に対応するか判定する滞在時刻対応判定を行う（ステップ♯１４）。そして、画像地点対応判定部５４は、滞在時刻対応判定により対応すると判定された画像ファイル（ステップ♯１４：Ｙｅｓ）と滞在地点との関係について、滞在地点情報ファイルに含まれる滞在位置の情報、及び画像ファイルに含まれる撮影位置の情報に基づいて、当該撮影位置の情報が対応すると判定された滞在地点の滞在位置の情報に対応するか判定する滞在位置対応判定を行う（ステップ♯１５）ように構成されている。
【００９８】
画像地点対応判定部５４は、滞在時刻対応判定では、画像ファイルに含まれる撮影時刻が、滞在地点情報ファイルに含まれる滞在中時刻（滞在開始時刻から滞在終了時刻まで）の範囲内にあるか判定する。
画像地点対応判定部５４は、滞在位置対応判定では、画像ファイルに含まれる撮影位置が、滞在地点情報ファイルに含まれる滞在位置の情報が示す滞在位置に近いか（例えば、滞在位置の所定判定距離（４Ｋｍなど）範囲内にあるか）判定する。ここで、滞在位置対応判定における判定距離は、旅行位置対応判定における判定距離以下に設定される。
【００９９】
一方、画像地点対応判定部５４は、画像ファイルに撮影位置の情報が含まれず、画像旅行対応判定部５３により画像ファイルが旅行に対応すると判定された場合（ステップ♯１６：Ｙｅｓ）は、上記した滞在時刻対応判定のみを行い（ステップ♯１７）、滞在位置対応判定を行わないように構成されている。
【０１００】
４−５．画像ファイル分類格納部５５
画像ファイル分類格納部５５は、画像地点対応判定部５４により画像ファイルに対応する滞在地点があると判定された場合は、当該画像ファイルを対応する滞在地点フォルダに格納し、対応する滞在地点がないと判定した場合は、当該画像ファイルを旅行フォルダに格納する画像ファイル分類格納処理を行う機能部である。
【０１０１】
画像ファイル分類格納部５５は、画像ファイル分類部５０の機能を備えた情報端末装置２の記憶装置内に記憶されている画像ファイルに対して、画像ファイル分類処理を行って、当該記憶装置内に記憶されている旅行フォルダなどに画像ファイルを格納するように構成されてもよい。
或いは、画像ファイル分類格納部５５は、画像ファイル分類部５０の機能を備えた情報端末装置２の記憶装置内に記憶されている画像ファイルに対して、画像ファイル分類処理を行って、外部の記憶装置内に記憶されている旅行フォルダなどに、無線通信又は有線通信などのデータ通信を介して、分類処理後の画像ファイルを格納するように構成されてもよい。なお、この場合では、旅行滞在地点フォルダ作成部４０又は画像ファイル分類部５０は、上記のように、旅行フォルダ及び滞在地点フォルダなどを、無線通信又は有線通信などのデータ通信を介して、当該外部の記憶装置に格納している。
【０１０２】
或いは、画像ファイル分類格納部５５は、無線通信又は有線通信などのデータ通信により接続可能な外部の記憶装置内に画像ファイルが格納されている場合は、データ通信を介した指令により、当該外部の記憶装置内において画像ファイルを移動させて、旅行フォルダ内などに格納するように構成されてもよい。なお、この場合では、旅行滞在地点フォルダ作成部４０又は画像ファイル分類部５０は、上記のように、旅行フォルダ及び滞在地点フォルダなどを、無線通信又は有線通信などのデータ通信を介して、当該外部の記憶装置に格納している。
ここで、外部の記憶装置、並びに無線通信又は有線通信などのデータ通信は、旅行滞在地点フォルダ作成部４０で説明した内容と同様である。
【０１０３】
本実施形態では、画像ファイル分類格納部５５は、画像ファイルが画像旅行対応判定部５３により旅行に対応すると判定され（図４、ステップ♯１３：Ｙｅｓ、又はステップ♯１６：Ｙｅｓ）、画像地点対応判定部５４によりいずれかの滞在地点に対応すると判定された場合（ステップ♯１５：Ｙｅｓ、又はステップ♯１７：Ｙｅｓ）は、当該画像ファイルを、対応すると判定された滞在地点の滞在地点フォルダに格納する（ステップ♯１８、又はステップ♯２１）ように構成されている。一方、画像ファイル分類格納部５５は、画像ファイルが画像旅行対応判定部５３により旅行に対応すると判定され（ステップ♯１３：Ｙｅｓ、又はステップ♯１６：Ｙｅｓ）、画像地点対応判定部５４によりいずれの滞在地点にも対応しないと判定された場合（ステップ♯１４：Ｎｏ、ステップ♯１５：Ｎｏ、又はステップ♯１７：Ｎｏ）は、当該画像ファイルを旅行フォルダに格納する（ステップ♯１９、又はステップ♯２２）ように構成されている。
【０１０４】
一方、画像ファイル分類格納部５５は、画像ファイルが画像旅行対応判定部５３により旅行に対応しないと判定された場合（ステップ♯１２：Ｎｏ、ステップ♯１３：Ｎｏ、又はステップ♯１６：Ｎｏ）は、当該画像ファイルを旅行フォルダ及びいずれの滞在地点フォルダにも格納しないように構成されている。本実施形態では、画像ファイル分類格納部５５は、旅行フォルダ以外に作成された所定のフォルダに格納するように構成されている（ステップ♯２０、又はステップ♯２３）。
【０１０５】
５．旅行滞在地点フォルダ作成処理、画像ファイル分類処理の例
次に、図２、図５及び図６を参照して、旅行滞在地点フォルダ作成処理、画像ファイル分類処理の例を説明する。
本例では、位置案内部３０、旅行滞在地点フォルダ作成部４０、及び画像ファイル分類部５０の機能は、カーナビゲーション装置に備えられている。そして、ユーザは、当該カーナビゲーション装置が搭載された車両に乗って、基準位置に設定された自宅から旅行に出発する場合を説明する。
【０１０６】
また、本例では、画像ファイルは、インターネットに接続された外部の記憶装置（以下、ネットワーク接続記憶装置と称す）内に記憶されるように構成されている。本例では、多機能型携帯電話に備えられた撮影装置により画像ファイルが生成され、生成された画像ファイルは、多機能型携帯電話の記憶装置から、携帯電話回線及びインターネットを介して、ネットワーク接続記憶装置内に逐次的に複製されるように構成されている。本例では、多機能型携帯電話には、ＧＰＳなどの位置検出装置が備えられており、画像ファイルには、撮影時刻の情報及び撮影位置の情報が含まれるように構成されている。
【０１０７】
また、本例では、カーナビゲーション装置は、携帯電話回線などの無線通信装置を備えており、インターネットに接続されたネットワーク接続記憶装置とデータ通信が可能とされている。或いは、カーナビゲーション装置は、ブルートゥースなどの無線通信装置を備えており、ユーザが所持している多機能型携帯電話とブルートゥースなどの近距離無線通信により接続可能に構成されており、携帯電話回線などの無線通信装置を有する多機能型携帯電話を介して、インターネットに接続されたネットワーク接続記憶装置とデータ通信が可能とされている。
【０１０８】
そして、画像ファイル取得部５１は、ネットワーク接続記憶装置内に、新たな画像ファイルが格納された後、画像ファイルから撮影時刻の情報及び撮影位置の情報を取得するように構成されている。そして、画像ファイル分類格納部５５は、画像ファイル分類処理により、ネットワーク接続記憶装置内において、画像ファイルを移動させて旅行フォルダ内などに格納するように構成されている。
【０１０９】
本例では、図１おける記憶装置６及び記憶装置７は、カーナビゲーション装置に備えられた記憶装置とされ、記憶装置８は、インターネットに接続された外部の記憶装置（ネットワーク接続記憶装置）とされている。
【０１１０】
５−１．旅行滞在地点フォルダ作成処理の例
まず、旅行滞在地点フォルダ作成処理を中心に説明する
旅行判定部４１は、図５に示すように、ユーザが上記のカーナビゲーション装置を搭載した車両に乗って自宅から旅行に出発した後、２０１２年１０月３日  ９：００に、基準地点と移動体の現在位置との距離が、旅行判定値以上になったので、旅行が開始したと判定している。そして、フォルダ作成部４３は、図２に示すように、カーナビゲーション装置の記憶装置内に旅行フォルダ１１１を作成している。また、旅行判定部４１は、作成した旅行フォルダ１１１を、無線通信装置を介して、ネットワーク接続記憶装置８内に複製している。この時点では、旅行フォルダの名称は、「新しい旅行フォルダ」という仮名称に設定されている。
【０１１１】
旅行情報ファイル生成部４５は、旅行開始判定後、旅行中時刻の情報として旅行開始時刻の情報を含む旅行情報ファイル１２１を生成し、旅行フォルダ１１１に格納している（図２参照）。また、旅行情報ファイル生成部４５は、旅行開始判定後、移動履歴情報の生成を開始し、時間の経過に従って、移動体の現在位置の情報を取得する毎に逐次的に更新していく。そして、旅行情報ファイル生成部４５は、更新した移動履歴情報で、逐次的に旅行情報ファイル１２１に含まれる移動履歴情報を更新する。
【０１１２】
ユーザは、車両による移動中の１０：００に、車両からの風景を撮影して、画像ファイル６０１が生成されている（図５参照）。
ユーザは、１１：００に金閣寺付近の駐車場に駐車し、カーナビゲーション装置の電源がオフされている。ユーザは、駐車後、徒歩により金閣寺の敷地内を移動しながら、１１：２０、１１：４０、１１：５０、及び１２：３０に撮影し、それぞれ画像ファイル６０２、６０３、６０４、６０５が生成されている。ユーザは、１３：００に駐車場に戻り、カーナビゲーション装置の電源をオンにしている。
【０１１３】
滞在地点判定部４２は、電源オフ時刻１１：００から電源オン時刻１３：００までの間、駐車地点に滞在していたと判定する。滞在地点判定部４２は、２時間になる滞在時間が、３０分に設定された滞在判定値以上であるので、駐車地点を滞在地点２０１として判定する。そして、滞在地点判定部４２は、滞在地点２０１の半径５００ｍ以内にある主な観光スポットとして、位置案内部３０が備えている地図データから金閣寺を抽出して、滞在地点名称を「金閣寺」に設定している。
【０１１４】
フォルダ作成部４３は、滞在地点及び滞在地点名称の判定後、図２に示すように、カーナビゲーション装置における旅行フォルダ１１１内に、「金閣寺付近」という名称の滞在地点フォルダ２１１を作成している。そして、滞在地点情報ファイル生成部４４は、滞在地点２０１の滞在中時刻の情報として「滞在開始時刻１１：００及び滞在終了時刻１３：００」、滞在位置の情報として「駐車位置（座標）」、滞在地名称の情報として「金閣寺」、を含む滞在地点情報ファイル２２１を生成し、カーナビゲーション装置における滞在地点フォルダ２１１に格納している。
また、フォルダ作成部４３は、作成した滞在地点フォルダ２１１を、無線通信装置を介して、ネットワーク接続記憶装置８における旅行フォルダ１１１内に複製している。滞在地点情報ファイル生成部４４は、作成した滞在地点情報ファイル２２１を、無線通信装置を介して、ネットワーク接続記憶装置８における滞在地点フォルダ２１１内に複製している。
【０１１５】
ユーザは、図５に示すように、１３：００に駐車場に戻った後、車両により次の滞在地点に向けて出発している。ユーザは、１３：１５に銀閣寺付近の駐車場に駐車し、カーナビゲーション装置の電源がオフされている。ユーザは、駐車後、徒歩により銀閣寺の敷地内を移動しながら、１３：３０に撮影し、画像ファイル６０６が生成されている。ユーザは、１４：００に駐車場に戻り、カーナビゲーション装置の電源をオンにしている。
滞在地点判定部４２は、電源オフ時刻１３：１５から電源オン時刻１４：００までの間、駐車地点に滞在していたと判定する。滞在地点判定部４２は、４５分になる滞在時間が、３０分に設定された滞在判定値以上であるので、駐車地点を滞在地点２０２として判定する。そして、滞在地点判定部４２は、滞在地点２０２の半径５００ｍ以内にある主な観光スポットとして、地図データから銀閣寺を抽出して、滞在地点名称を「銀閣寺」に設定している。
【０１１６】
フォルダ作成部４３は、滞在地点及び滞在地点名称の判定後、図２に示すように、旅行フォルダ１１１内に、「銀閣寺付近」という名称の滞在地点フォルダ２１２を作成している。そして、滞在地点情報ファイル生成部４４は、滞在地点２０２の滞在中時刻の情報として「滞在開始時刻１３：１５及び滞在終了時刻１４：００」、滞在位置の情報として「駐車位置（座標）」、滞在地名称の情報として「銀閣寺」、を含む滞在地点情報ファイル２２２を生成し、滞在地点フォルダ２１２に格納している。
また、カーナビゲーション装置内に作成された滞在地点フォルダ２１２及び滞在地点情報ファイル２２２は、上記したように、無線通信装置を介して、ネットワーク接続記憶装置８内に複製される。
【０１１７】
ユーザは、図５に示すように、１４：００に駐車場に戻った後、車両により次の滞在地点に向けて出発している。車両による移動中の１４：１５に、車両からの風景を撮影して、画像ファイル６０７が生成されている。
ユーザは、１４：３０に清水寺付近の駐車場に駐車し、カーナビゲーション装置の電源がオフされている。ユーザは、駐車後、徒歩により清水寺の敷地内を移動しながら、１４：４５、１５：００、及び１５：３０に撮影し、それぞれ画像ファイル６０８、６０９、６１０が生成されている。ユーザは、１６：００に駐車場に戻り、カーナビゲーション装置の電源をオンにしている。
【０１１８】
滞在地点判定部４２は、電源オフ時刻１４：３０から電源オン時刻１６：００までの間、駐車地点に滞在していたと判定する。滞在地点判定部４２は、１時間３０分になる滞在時間が、３０分に設定された滞在判定値以上であるので、駐車地点を滞在地点２０３として判定する。そして、滞在地点判定部４２は、駐車地点の半径５００ｍ以内にある主な観光スポットとして、地図データから清水寺を抽出して、滞在地点名称を「清水寺」に設定している。
【０１１９】
フォルダ作成部４３は、滞在地点及び滞在地点名称の判定後、図２に示すように、旅行フォルダ１１１内に、「清水寺付近」という名称の滞在地点フォルダ２１３を作成している。そして、滞在地点情報ファイル生成部４４は、滞在地点２０２の滞在中時刻の情報として「滞在開始時刻１４：３０及び滞在終了時刻１６：００」、滞在位置の情報として「駐車位置（座標）」、滞在地名称の情報として「清水寺」、を含む滞在地点情報ファイル２２３を生成し、滞在地点フォルダ２１３に格納している。
また、カーナビゲーション装置内に作成された滞在地点フォルダ２１３及び滞在地点情報ファイル２２３は、上記したように、無線通信装置を介して、ネットワーク接続記憶装置８内に複製される。
【０１２０】
ユーザは、１６：００に駐車場に戻った後、車両により基準地点に向けて出発している。旅行判定部４１は、１８：００に、基準地点と移動体の現在位置との距離が、旅行判定値以下になったので、旅行が終了したと判定している。そして、旅行判定部４１は、旅行中に判定された滞在地点２０１から２０３について、滞在時間が長い順に、「金閣寺」、「清水寺」の２つの滞在地点名称を含ませて、旅行名称を「２０１２年１０月３日  金閣寺、清水寺方面の旅行」と決定している。そして、フォルダ作成部４３は、図２に示すように、旅行フォルダの名称を、仮名称の「新しい旅行フォルダ」から、旅行名称を含む「２０１２年１０月３日  金閣寺、清水寺方面の旅行フォルダ」に変更している。そして、旅行情報ファイル生成部４５は、旅行中時刻の情報として「旅行開始２０１２年１０月３日  ９：００、旅行終了２０１２年１０月３日  １８：００」、図５に示すような、最終的な、旅行中の移動体の位置履歴の情報、及び旅行名称の情報として「２０１２年１０月３日  金閣寺、清水寺方面の旅行」、を含む旅行情報ファイル１２１を生成し、図２に示すように、旅行フォルダ１１１に格納している。
また、フォルダ作成部４３は、ネットワーク接続記憶装置８内における旅行フォルダの名称も、仮名称から旅行名称を含む名称に変更している。旅行情報ファイル生成部４５は、カーナビゲーション装置内に生成した旅行情報ファイル１２１を、無線通信装置を介して、ネットワーク接続記憶装置８内における旅行情報ファイル１２１内に複製している。
【０１２１】
５−２．画像ファイル分類処理の例
次に、画像ファイル分類処理について説明する。
車両による移動中の１０：００に画像ファイル６０１が生成された後、画像ファイル６０１は、無線通信装置を介してネットワーク接続記憶装置８内（例えば、旅行フォルダ１１１外にある所定フォルダ内）に複製される。
画像ファイル取得部５１は、ネットワーク接続記憶装置８内に格納された画像ファイル６０１から、無線通信装置を介して撮影時刻の情報及び撮影位置の情報を取得する。
そして、画像旅行対応判定部５３は、画像ファイル６０１に含まれる撮影時刻の情報及び撮影位置の情報、並びに旅行情報ファイル１２１に含まれる旅行中時刻の情報及び位置履歴の情報に基づいて、当該画像ファイル６０１が旅行に対応していると判定している。ここで、旅行中時刻の情報は、旅行開始時刻９：００から現在の時刻（例えば、１０：１０）までとされ、位置履歴情報は、旅行開始判定から現在位置までの位置履歴情報とされる。具体的には、画像ファイル６０１は、撮影時刻１０：００が、旅行中時刻９：００〜１０：１０の範囲内にあり、撮影位置が、位置履歴から所定判定距離の範囲７０１内にあるので、旅行に対応すると判定されている。
画像地点対応判定部５４は、画像ファイル６０１に対応する滞在地点がないと判定している。
【０１２２】
画像ファイル分類格納部５５は、画像ファイル６０１は旅行に対応しているが、いずれの滞在地点にも対応していないと判定されているので、ネットワーク接続記憶装置８内において、図６に示すように、画像ファイル６０１を旅行フォルダ１１１に移動させて、格納している。
【０１２３】
滞在地点２０１付近を徒歩で移動中の１１：２０、１１：４０、１１：５０、及び１２：３０に各画像ファイル６０２、６０３、６０４、６０５が生成された後、各画像ファイル６０２〜６０５は、無線通信装置を介してネットワーク接続記憶装置８内に複製される。
画像ファイル取得部５１は、ネットワーク接続記憶装置８内に格納された各画像ファイル６０２〜６０５から、無線通信を介して撮影時刻の情報及び撮影位置の情報を取得する。
そして、画像旅行対応判定部５３は、各画像ファイル６０２、６０３、６０４、６０５が旅行に対応していると判定している。また、画像地点対応判定部５４は、滞在地点２０１に関する滞在地点フォルダ２１１及び滞在地点情報ファイル２２１が生成された後、各画像ファイル６０２、６０３、６０４、６０５に含まれる撮影時刻の情報及び撮影位置の情報、並びに滞在地点情報ファイル２２１に含まれる滞在中時刻の情報及び滞在位置の情報に基づいて、各画像ファイル６０２、６０３、６０４、６０５が滞在地点２０１に対応すると判定している。具体的には、各画像ファイル６０２、６０３、６０４、６０５は、撮影時刻１１：２０、１１：４０、１１：５０、１２：３０が、滞在地点２０１の滞在中時刻１１：００〜１３：００の範囲内にあり、撮影位置が、滞在地点２０１から所定判定距離の範囲７０２内にあるので、滞在地点２０１に対応すると判定されている。
画像ファイル分類格納部５５は、画像ファイル６０２、６０３、６０４、６０５が、旅行に対応しており、滞在地点２０１に対応していると判定されているので、ネットワーク接続記憶装置８内において、図６に示すように、画像ファイル６０２、６０３、６０４、６０５を滞在地点フォルダ２１１内に移動させて、格納している。
【０１２４】
一方、旅行に参加していないユーザの家族が、カーナビゲーション装置の画像ファイル分類処理の対象に設定された多機能型携帯電話を用いて、図５に示すように、旅行経路から外れた位置で１２：００に撮影して、画像ファイル６１１が生成されている。画像ファイル６１１は、無線通信装置を介してネットワーク接続記憶装置８内に複製されている。
画像旅行対応判定部５３は、画像ファイル６１１の撮影位置が、位置履歴情報から旅行に対応していないと判定している。具体的には、画像ファイル６１１は、撮影時刻１２：００が、旅行中時刻９：００〜１８：００の範囲内にあるが、撮影位置が、位置履歴から所定判定距離の範囲７０１外にあるので、旅行に対応しないと判定されている。画像ファイル分類格納部５５は、図６に示すように、画像ファイル６１１が旅行に対応しないと判定されているので、画像ファイル６１１を旅行フォルダ１１１外のフォルダである「その他画像フォルダ」１１２に移動させている。
【０１２５】
滞在地点２０２付近を徒歩で移動中の１３：３０に画像ファイル６０６が生成された後、画像ファイル６０６は、無線通信装置を介してネットワーク接続記憶装置８内に複製される。
画像旅行対応判定部５３は、画像ファイル６０６が旅行に対応すると判定している。画像地点対応判定部５４は、滞在地点２０２に関する滞在地点フォルダ２１２及び滞在地点情報ファイル２２２が生成された後、画像ファイル６０６が滞在地点２０２に対応すると判定している。ここで、画像ファイル６０６は、撮影位置が、位置履歴から所定判定距離の範囲７０１内にあり、滞在地点２０２からから所定判定距離の範囲７０３内にある。
画像ファイル分類格納部５５は、画像ファイル６０６が旅行に対応し、滞在地点２０２に対応すると判定されているので、ネットワーク接続記憶装置８内において、図６に示すように、画像ファイル６０６を滞在地点フォルダ２１２に移動させている。
【０１２６】
車両による移動中の１４：１５に画像ファイル６０７が生成された後、画像ファイル６０７は、無線通信装置を介してネットワーク接続記憶装置８内に複製される。
画像旅行対応判定部５３は、画像ファイル６０７が旅行に対応する判定している。一方、画像地点対応判定部５４は、画像ファイル６０７が、滞在地点２０１、２０２のいずれにも対応していないと判定している。ここで、画像ファイル６０７は、撮影位置が、位置履歴から所定判定距離の範囲７０１内にあるが、いずれの滞在地点の所定判定距離の範囲内にない。
画像ファイル分類格納部５５は、画像ファイル６０７が旅行に対応し、いずれの滞在地点にも対応しないと判定されているので、ネットワーク接続記憶装置８内において、図６に示すように画像ファイル６０７を旅行フォルダ１１１に移動させている。
【０１２７】
滞在地点２０３付近を徒歩で移動中の１４：４５、１５：００、及び１５：３０に各画像ファイル６０８、６０９、６１０が生成された後、各画像ファイル６０８〜６１０は、無線通信装置を介してネットワーク接続記憶装置８内に複製される。
画像旅行対応判定部５３は、画像ファイル６０８、６０９、６１０が旅行に対応すると判定している。画像地点対応判定部５４は、滞在地点２０３に関する滞在地点フォルダ２１３及び滞在地点情報ファイル２２３が生成された後、画像ファイル６０８、６０９、６１０が滞在地点２０３に対応すると判定している。ここで、画像ファイル６０８、６０９、６１０は、撮影位置が、位置履歴から所定判定距離の範囲７０１内にあり、滞在地点２０３からから所定判定距離の範囲７０４内にある。
画像ファイル分類格納部５５は、画像ファイル６０８、６０９、６１０が旅行に対応し、滞在地点２０３に対応すると判定されているので、ネットワーク接続記憶装置８内において、図６に示すように、画像ファイル６０８、６０９、６１０を滞在地点フォルダ２１３に移動させている。
【０１２８】
〔その他の実施形態〕
最後に、本発明のその他の実施形態について説明する。なお、以下に説明する各実施形態の構成は、それぞれ単独で適用されるものに限られず、矛盾が生じない限り、他の実施形態の構成と組み合わせて適用することも可能である。
【０１２９】
（１）上記の実施形態において、画像ファイル分類部５０は、位置案内部３０及び旅行滞在地点フォルダ作成部４０の機能を備えた情報端末装置２に備えられている場合を例として説明した。しかし、本発明の実施形態はこれに限定されない。すなわち、画像ファイル分類部５０は、位置案内部３０及び旅行滞在地点フォルダ作成部４０の機能を備えた情報端末装置とは異なる情報端末装置（以下、別体情報端末装置と称す。例えば、ユーザの自宅に備えられたパーソナルコンピュータや、多機能型携帯電話や、携帯型情報端末装置など）に備えられてもよい。
この場合は、画像ファイル分類部５０は、別体情報端末装置の記憶装置内、又は別体情報端末装置が無線通信又は有線通信などのデータ通信を介して接続可能な外部の記憶装置内に、記憶されている画像ファイルに対して画像ファイル分類処理を行う。
この場合は、画像ファイル分類部５０は、上記の実施形態における実施例のように、旅行中に逐次的に画像ファイル分類処理を行うように構成されてもよいし、ユーザが旅行を終えて基準位置（自宅など）に戻り、撮影装置で生成した画像ファイルを、別体情報端末装置が接続可能な記憶装置内に複製した後に、画像ファイル分類処理が行われてもよい。
【０１３０】
（２）上記の実施形態における実施例において、位置案内部３０、旅行滞在地点フォルダ作成部４０、及び画像ファイル分類部５０を備えた情報端末装置２が、カーナビゲーション装置である場合を例として説明した。しかし、本発明の実施形態はこれに限定されない。すなわち、位置案内部３０、旅行滞在地点フォルダ作成部４０、及び画像ファイル分類部５０を備えた情報端末装置２が、多機能型携帯電話や携帯型情報端末装置であってもよい。
【０１３１】
（３）上記の実施形態における実施例において、画像ファイル分類部５０は、インターネットに接続された外部の記憶装置（ネットワーク接続記憶装置）内において画像ファイル分類処理を行うように構成されている場合を例として説明した。しかし、本発明の実施形態はこれに限定されない。すなわち、画像ファイル分類部５０は、画像ファイル分類部５０が備えられた情報端末装置（カーナビゲーション装置など）の記憶装置内において、画像ファイル分類処理を行うように構成されてもよい。或いは、画像ファイル分類部５０は、画像ファイル分類部５０が備えられた情報端末装置（カーナビゲーション装置など）と、無線通信（ブルートゥースなど）や有線通信（ＵＳＢなど）により接続可能である多機能型携帯電話や携帯型情報端末装置の記憶装置内において、画像ファイル分類処理により画像ファイルを移動させて旅行フォルダなどに格納するように構成されてもよい。
【０１３２】
（４）上記の実施形態における実施例において、滞在地点判定部４２は、カーナビゲーション装置の電源のオンオフにより滞在地点を判定する場合を例として説明した。しかし、本発明の実施形態はこれに限定されない。すなわち、滞在地点判定部４２は、駐車中或いは滞在中でも電源がオフにされないようなナビゲーション装置などの携帯型の情報端末装置に備えられている場合は、上記した移動範囲による滞在地点判定を行って、滞在地点を判定するように構成されてもよい。
【０１３３】
（５）上記の実施形態において、情報端末装置２は、位置案内部３０、旅行滞在地点フォルダ作成部４０、及び画像ファイル分類部５０の機能を備えている場合を例として説明した。しかし、本発明の実施形態はこれに限定されない。すなわち、情報端末装置２は、少なくとも位置案内部３０の機能を備えていればよく、記憶装置６、記憶装置７、記憶装置８、旅行滞在地点フォルダ作成部４０、及び画像ファイル分類部５０の少なくとも一部がネットワークサーバ等の外部の記憶装置又は情報端末装置等に備えられてもよく、記憶装置６、７、８を含む全部が情報端末装置２に備えられていてもよい。
【産業上の利用可能性】
【０１３４】
本発明は、移動体の現在位置に関する情報を案内するナビゲーションシステムに好適に利用することができる。
【符号の説明】
【０１３５】
１        ：ナビゲーションシステム
２        ：情報端末装置
６、７、８：記憶装置
３０      ：位置案内部
３１      ：位置情報取得部
３２      ：位置案内実行部
３３      ：移動履歴情報生成部
４０      ：旅行滞在地点フォルダ作成部
４１      ：旅行判定部
４２      ：滞在地点判定部
４３      ：フォルダ作成部
４４      ：滞在地点情報ファイル生成部
４５      ：旅行情報ファイル生成部
４６      ：移動履歴情報取得部
５０      ：画像ファイル分類部
５１      ：画像ファイル取得部
５２      ：分類フォルダ取得部
５３      ：画像旅行対応判定部
５４      ：画像地点対応判定部
５５      ：画像ファイル分類格納部
【図１】
2014089604.tif 000003
【図２】
2014089604.tif 000004
【図３】
2014089604.tif 000005
【図４】
2014089604.tif 000006
【図５】
2014089604.tif 000007
【図６】
2014089604.tif 000008